【手続補正書】
【提出日】平成21年9月1日(2009.9.1)
【手続補正１】
【補正対象書類名】特許請求の範囲
【補正対象項目名】全文
【補正方法】変更
【補正の内容】
【特許請求の範囲】
【請求項１】
横に拡がる方向に変形可能な縦方向に細長い中空の本体主セグメントを含む本体と横方向に拡がったヘッドとを有するブラインド・リベットであって、前記主セグメントがさらに、それを通って延びる縦方向に配向されたスリットを有する少なくとも１つの縦方向に細長い刻み目を備えた外面をさらに含み、前記刻み目の大部分がテーパ面によって定められることを特徴とするブラインド・リベット。
【請求項２】
縦方向に細長いシャフトと横方向に拡がったセグメントとを有するマンドレルをさらに含み、前記シャフトの少なくとも一部は、前記本体主セグメント内に配置され、刻み目を有し、前記本体主セグメントは、前記マンドレルの前記刻み目内に部分的に配置されて前記マンドレルを前記本体に結合する内向きに延びるフランジを含むことを特徴とする請求項１に記載のブラインド・リベット。
【請求項３】
前記マンドレルの一部が、前記リベット本体の前記本体主セグメントと係合して前記中空本体主セグメントの中への汚染物質の侵入に対して抵抗することを特徴とする請求項２に記載のブラインド・リベット。
【請求項４】
前記刻み目の縦方向縁部が、前記縦方向縁部間の最大の間隔が前記刻み目の縦方向中央部に位置し、より小さい間隔が前記刻み目の端部に隣接する状態で、互いから離れる方向に湾曲することを特徴とする請求項１に記載のブラインド・リベット。
【請求項５】
前記刻み目の縦方向縁部間の間隔が、前記刻み目の一方の端部のより近くで最大になることを特徴とする請求項１に記載のブラインド・リベット。
【請求項６】
前記刻み目の少なくとも１つの縦方向縁部が、互いに交差する２つの実質的に直線の区域を有することを特徴とする請求項１に記載のブラインド・リベット。
【請求項７】
前記刻み目の縦方向縁部が実質的に直線であり平行であることを特徴とする請求項１に記載のブラインド・リベット。
【請求項８】
前記テーパ面が実質的に平坦であることを特徴とする請求項１に記載のブラインド・リベット。
【請求項９】
前記テーパ面が横に延びる方向に湾曲していることを特徴とする請求項１に記載のブラインド・リベット。
【請求項１０】
前記本体主セグメントが設置変形の前に横方向に隆起していることを特徴とする請求項１に記載のブラインド・リベット。
【請求項１１】
前記本体主セグメントが、リベット取り付けの間に変形して、実質的に横方向に延びる少なくとも２つの第２支持面を有する第２ヘッドを形成し、前記第２支持面は、さらに、前記ヘッドの横方向周辺部よりも残りの前記本体主セグメントから離れている横方向周辺部を有することを特徴とする請求項１に記載のブラインド・リベット。
【請求項１２】
各々が他方と実質的に同一である少なくとも４つの前記刻み目及びスリットが存在することを特徴とする請求項１に記載のブラインド・リベット。
【請求項１３】
前記刻み目が、４つの実質的に平坦な面を含み、前記平坦な面のいずれも互いに対して平行又は垂直ではないことを特徴とする請求項１に記載のブラインド・リベット。
【請求項１４】
前記横方向に拡がったヘッドに形成されたポケット内に配置されたシールをさらに含み、前記シールが、加工片表面とシール係合するように適合されていることを特徴とする請求項１に記載のブラインド・リベット。
【請求項１５】
前記本体主セグメントが階段状の外径を有することを特徴とする請求項１に記載のブラインド・リベット。
【請求項１６】
縦方向に細長い管状セグメントと横方向フランジ付きヘッドとを含むリベット本体を備えたブラインド・リベットであって、少なくとも１つの縦方向に細長い刻み目が、前記刻み目を通って延びる切れ目を有し、前記刻み目及び前記切れ目が、前記ヘッドと前記管状セグメントの反対側の端部との間の前記管状セグメント上に配置され、内部でそれらから離間され、前記刻み目の縦方向端部を定める表面が、互いから離れる方向に外向きに角度の付いた開口部であることを特徴とするブラインド・リベット。
【請求項１７】
前記刻み目の縦方向縁部が、前記縦方向縁部間の最大の間隔が前記刻み目の縦方向中央部に位置し、より小さい間隔が前記刻み目の端部に隣接する状態で、互いから離れる方向に湾曲することを特徴とする請求項１６に記載のブラインド・リベット。
【請求項１８】
前記本体主セグメントが、リベット取り付けの間に変形して、実質的に横方向に延びる少なくとも２つの第２支持面を有する第２ヘッドを形成し、前記第２支持面は、さらに、前記ヘッドの横方向周辺部よりも残りの前記本体主セグメントから離れている横方向周辺部を有することを特徴とする請求項１６に記載のブラインド・リベット。
【請求項１９】
管状セグメントの縦方向中心線に実質的に平行に延びる少なくとも１つの縦方向に細長いスロットを含む管状セグメントを備えたブラインド・リベットであって、前記スロットが、リベット取り付け前に、前記スロットの縦方向端部に隣接した部分と比べて前記スロットの縦方向中間点において、より大きい距離だけ互いから離間された縦方向側部によって部分的に定められていることを特徴とするブラインド・リベット。
【請求項２０】
前記管状セグメントが、取り付けの間に変形して、実質的に横方向に延びる少なくとも２つの第２支持面を有する第２ヘッドを形成し、前記第２支持面は、さらに、前記ヘッドの横方向周辺部よりも残りの前記本体主セグメントから離れている横方向周辺部を有することを特徴とする請求項１９に記載のブラインド・リベット。
【請求項２１】
管状セグメントの縦方向中心線に実質的に平行に延びる少なくとも１つの縦方向に細長いスロットを含む管状セグメントを備えたブラインド・リベットであって、前記スロットが縦方向側部によって部分的に定められており、前記縦方向側部間の間隔が、少なくともリベット取り付け前に、前記スロットの一方の端部のより近くで最大になることを特徴とするブラインド・リベット。
【請求項２２】
前記縦方向側部が、互いから離れる方向にそれらの縦方向長さに沿って湾曲しており、前記スロットの少なくとも１つの縦方向側部が、少なくとも２つの横方向に延びる区域間の縦方向の直線区域を有し、前記本体の前記円筒形セグメント上に等間隔に周方向に離間された少なくとも４つのスロットが存在することを特徴とする請求項２１に記載のブラインド・リベット。
【請求項２３】
管状セグメントの縦方向中心線に実質的に平行に延びる少なくとも１つの縦方向に細長いスロットを含む管状セグメントを備えたブラインド・リベットであって、前記スロットが、離間された縦方向側部によって部分的に定められており、前記スロットの１つの縦方向側部が、第１及び第２の軸方向に位置合わせされた縦方向の直線区域間に配置された横方向に延びる区域を含むことを特徴とするブラインド・リベット。
【請求項２４】
前記スロットの前記１つの縦方向側部が、前記スロットの端部に配置された第２及び第３の横方向に延びる区域をさらに含み、前記横方向に延びる区域の各々が、前記管状セグメントの外面に沿って実質的に矩形の開口部を有し、前記本体主セグメントが、設置変形の前に横方向に隆起しており、各々が他方と実質的に同一である少なくとも４つのスロットが存在することを特徴とする請求項２３に記載のブラインド・リベット。
【請求項２５】
管状セグメントと拡がったヘッドとを含むリベット本体と、
前記管状セグメントの設置変形後に前記ヘッドに取り付けられ、設置後に前記ヘッドの見える部分の実質的に全てを覆うキャップと、
を備えることを特徴とするリベット組立体。
【請求項２６】
前記管状セグメントに配置された少なくとも１つの縦方向に細長い切れ目をさらに備えることを特徴とする請求項２５に記載のリベット組立体。
【請求項２７】
前記管状セグメントが、設置の間に変形して、実質的に横方向に延びる少なくとも２つの第２支持面を形成し、前記第２支持面は、さらに、前記ヘッドの横方向周辺部よりも残りの前記本体主セグメントから離れている横方向周辺部を有し、前記本体が少なくとも４つの縦方向に細長い切れ目を有し、前記拡がったヘッドに形成されたポケット内に配置されたシールをさらに含み、前記シールが、加工片表面とシール係合するように適合されており、前記管状セグメントを通って延びるマンドレルをさらに含み、前記マンドレルは、前記管状セグメントとシール係合する実質的に円筒形状の部分を含むことを特徴とする請求項２５に記載のリベット組立体。
【請求項２８】
加工片をブラインド・リベットを用いて接合する方法であって、前記ブラインド・リベットが、中空本体セグメントと横方向に拡がったヘッドとを含み、前記中空本体セグメント上に複数の縦方向に細長い刻み目が形成され、スリットが各々の刻み目を通って延び、  前記加工片に形成された穴の中に前記ブラインド・リベットを挿入し、
前記ブラインド・リベット本体セグメントに圧縮荷重をかけ、
複数の周方向に離間された柱状部を座屈させ、各々の柱状部は、第１縁部に沿って１つの刻み目の実質的に半分と、第２縁部に沿って別の刻み目の実質的に半分とを含み、
前記柱状部を折り畳むことによって第２ヘッドを形成し、
前記第２ヘッドを前記加工片の別の１つと係合させて、前記横方向に拡がったヘッドと前記第２ヘッドとの間で前記加工片をクランプする、
ことを特徴とする方法。
【請求項２９】
前記刻み目の縦方向縁部が、前記縦方向縁部間の最大の間隔が前記刻み目の縦方向中央部に位置し、より小さい間隔が前記刻み目の端部に隣接する状態で、互いから離れる方向に湾曲し、前記方法がさらに、前記縦方向縁部間の最大間隔の位置と実質的に同一平面となる縦方向位置で前記柱状部を座屈させることをさらに含むことを特徴とする請求項２８に記載の方法。
【請求項３０】
前記第２ヘッドを形成する前記座屈させる及び折り畳むステップの間に４つの実質的に同様の横方向に延びる脚部を形成することをさらに含むことを特徴とする請求項２８に記載の方法。
【請求項３１】
前記座屈ステップの前に及び後で、前記マンドレルの一部を前記本体セグメントに保持することをさらに含むことを特徴とする請求項２８に記載の方法。
【請求項３２】
前記リベット本体セグメントと前記加工片の１つとの間の界面をシールすることをさらに含むことを特徴とする請求項２８に記載の方法。
【請求項３３】
前記加工片が前記ブラインド・リベットによって互いにクランプされた後で、前記ブラインド・リベットが見えないようにするために、前記ブラインド・リベットの一部をキャップで覆うことをさらに含むことを特徴とする請求項２８に記載の方法。